(57)【要約】      （修正有）【課題】精神的かつ円滑に被災者を潤をせる災害対策キットを提供する。【解決手段】災害対策キット１００は、任意の防災用品５と、内容量２ｌないしは５００ｍｌの飲用水が充填されたペットボトル４と、防災用品ならびにペットボトルを格納する収容箱と、同収容箱に取外し可能に載積される厚さ５ｍｍのプラスチック製平板からなる天板２とから成る。収容箱は、厚さ３ｍｍのプラスチック製薄板を用いて組上げられた大小２つの正方形格子枠１１・１２を重心が一致するように配置した上で、これら正方形格子枠の底面に厚さ５ｍｍのプラスチック製平板からなる底板３をあてがった構造を有している。収容箱は、寸法の小さな正方形格子枠１２の内側に防災用品を格納するとともに、小さな正方形格子枠１２の外縁部と大きな正方形格子枠１１の内縁部に挟まれたロの字型空間には、縦横ともに各々同一本数のペットボトル４が隙間なく格納される。【選択図】図２
0003211741.tif 000002
【実用新案登録請求の範囲】
【請求項１】
任意の防災用品と、
内容量２ｌ（リットル）ないしは５００ｍｌ（ミリリットル）の飲用水が充填されたペットボトルと、
前記防災用品ならびに前記ペットボトルを格納する収容箱と、
同収容箱に取外し可能に載積される厚さ５ｍｍ（ミリメートル）のプラスチック製平板からなる天板と、から成る災害対策キットであって、
前記収容箱は、
厚さ３ｍｍのプラスチック製薄板を用いて組上げられた大小２つの正方形格子枠を重心が一致するように配置した上で、
これら正方形格子枠の底面に厚さ５ｍｍのプラスチック製平板からなる底板をあてがった構造を有しており、
同収容箱は、
（１）寸法の小さな正方形格子枠の内側に防災用品を格納するとともに、
（２）前記小さな正方形格子枠の外縁部と大きな正方形格子枠の内縁部に挟まれたロの字型空間には、縦横ともに各々同一本数のペットボトルが隙間なく格納され、
当該災害対策キットは、
（１）収容箱の開口部を天板で覆うことにより物品を置くことのできるテーブルないしは置台として使用可能になり、
（２）災害の発生時においては開口部を覆っている天板を取外すことにより、収容箱内部に格納された防災用品の使用と、ペットボトルを開栓することによる飲用水の利用が可能になり、
（３）加えて、飲用水の消費後に空き状態になったペットボトルについては注入口に再び栓を装着して封止することで簡易浮袋として再利用可能になる
ように構成されたことを特徴とする、災害対策キット。
【考案の詳細な説明】
【技術分野】
【０００１】
本考案は、飲用水が充填されたペットボトル又空のペットボトルを利用・再利用した災害対策キットに関する。
【背景技術】
【０００２】
近年においては、世界各地において地震や台風等の自然災害が頻発している。日本国内を例にとれば２０１６年の一年だけをみても、平成２８年（２０１６年）熊本地震・鳥取県中部地震といった大きな震災が起っている。
この様な大規模災害の発生時には生活基盤を支えるインフラが広範囲で損傷を受け、ライフラインが滞り多くの世帯で断水に陥ることが多く、生活用水を利用できないと飲用・手洗い等、人間として生き延びるのに最低限のものに事欠き、自治体からの補給や避難所までに疲労し、精神面に於いても苦痛を強いられる。
【０００３】
殊に２０１１年３月１１日の東日本大震災では、津波による犠牲死者が多く水害時の防具も必要となる。この様な事を切っ掛けとして各地で防災意識が高まり、飲用水・非常食の備蓄の呼びかけを耳にする機会が多くなったことが挙げられる。
中でもテレビ等のニュースによれば、それぞれの病を持った人の薬の確保がかなり遅れ難しいことも報じられている。この様な背景の下、各種の防災グッズが考案されているが（例えば、特許文献１〜３参照）、この考案された災害キットは、各種の震災等の自然災害のみならず世界各地で頻発している内戦地や難民にも「いざという時の備え又、最小限の命を支えるグッズ」として有用である。
【先行技術文献】
【特許文献】
【０００４】
【特許文献１】実用新案登録第３２０５１９５号公報
【特許文献２】実用新案登録第３１９８８８９号公報
【特許文献３】特開２００８−１２６０２１号公報
【考案の概要】
【考案が解決しようとする課題】
【０００５】
特許文献１のごとく飲用水の充填されたペットボトル及び水害時に備えた防水着等は日常的には段ボール箱又は非常用袋等による保存方法が多く、視界に入った際に見栄えも良いものとはいえず、日常生活の美観性を損ねてしまう。
又、日常的な活用品としては役割・役目が乏しい。
【０００６】
また主だった機能として防災に対処する物品を収容する物は見た目にも無味乾燥であることが多く、又、各家庭に応じた被災時の必要物（必須な品々）を保存することにも便利性に事欠く。
特に避難生活が長期にわたると心的疲労も増し、心的疲労に端を発して新たな病をも患ってしまう可能性もあり、被災者のストレスは想像を絶するものとなり得る。
【０００７】
この様な現状では、支援物資の確保等に焦点が集中し、被災者の求望する物や被災者の身を置く避難生活の環境に関する細やかな工夫までは充分に補われていない状況にある。
【０００８】
本考案は上記の問題を鑑みて考案されたものであり、一人でも多くの人の命を救い、そして被災者として身を置かなければならなくなった時のストレスを緩和し、救援の手が行き渡るまでの精神的かつ円滑に被災者を潤をせるものとして考案された災害対策キットを提供することを目的とする。
【課題を解決するための手段】
【０００９】
〔第１考案〕
そこで上記の課題を解決する為に、本願の第１考案に係る災害対策キットは、
任意の防災用品と、
内容量２ｌ（リットル）ないしは５００ｍｌ（ミリリットル）の飲用水が充填されたペットボトルと、
前記防災用品ならびに前記ペットボトルを格納する収容箱と、
同収容箱に取外し可能に載積される厚さ５ｍｍ（ミリメートル）のプラスチック製平板からなる天板と、から成る災害対策キットであって、
前記収容箱は、
厚さ３ｍｍのプラスチック製薄板を用いて組上げられた大小２つの正方形格子枠を重心が一致するように配置した上で、
これら正方形格子枠の底面に厚さ５ｍｍのプラスチック製平板からなる底板をあてがった構造を有しており、
同収容箱は、
（１）寸法の小さな正方形格子枠の内側に防災用品を格納するとともに、
（２）前記小さな正方形格子枠の外縁部と大きな正方形格子枠の内縁部に挟まれたロの字型空間には、縦横ともに各々同一本数のペットボトルが隙間なく格納され、
当該災害対策キットは、
（１）収容箱の開口部を天板で覆うことにより物品を置くことのできるテーブルないしは置台として使用可能になり、
（２）災害の発生時においては開口部を覆っている天板を取外すことにより、収容箱内部に格納された防災用品の使用と、ペットボトルを開栓することによる飲用水の利用が可能になり、
（３）加えて、飲用水の消費後に空き状態になったペットボトルについては注入口に再び栓を装着して封止することで簡易浮袋として再利用可能になるような構成とした。
【００１０】
上記のペットボトルとしては、内容量２ｌ（リットル）もしくは５００ｍｌ（ミリリットル）の飲用水が充填されたものを採用できる。
なお大小２つの正方形格子枠１１・１２（ペットボトル４が格納されるロの字型空間を形成する枠。図４（ｂ）参照）のサイズとしては、各戸に応じて異なるサイズを選定できる。２ｌのペットボトル４は格子枠１１・１２の中から自由にいつでも必要な時に取り出すことが出来る（図２）。
また上記の防災用品５とは「災害時の各戸に必要な物品（必須な物品）」のことであり、携帯ラジオ付き懐中電灯等々が挙げられる。
【図面の簡単な説明】
【００１１】
【図１】本考案の実施形態に係る災害対策キットの構成を示す模式図であって、天板の開放時であって収容箱にペットボトルを格納していない状態における図である。
【図２】本考案の実施形態に係る災害対策キットの構成を示す模式図であって、天板の開放時であって収容箱にペットボトルと格納した状態における図である。
【図３】本考案の実施形態に係る災害対策キットの構成を示す模式図であって、天板を乗せた状態における図である。
【図４】収容箱を構成する大小２つの正方形格子枠の配置を示す模式図であって、（ａ）は重心が一致するように配置した状態の図、（ｂ）はペットボトルが格納されるロの字型空間を表す図である。
【図５】互いの重心が一致するように配置した大小２つの正方形格子枠に対して、底板をあてがうときの外観斜視図である。
【図６】寸法の小さな正方形格子枠の外縁部と大きな正方形格子枠の内縁部に挟まれるロの字型空間に、縦横とも同数本のペットボトルを格納したときの模式図であって、（ａ）は上方から見たときの平面図、（ｂ）は側方から見たときの断面図である。
【図７】飲用水が充填されたペットボトルを示す模式図であって、（ａ）は開栓していない状態の図、（ｂ）は開栓した状態の図である。
【図８】収容箱の底板が一様な流れに置かれたときの模式図である。
【図９】収容箱に対して天板を開閉機構により物理的に一体に取付けた変形例の構成を示す模式図である。
【図１０】収容箱の側壁部をペットボトルにより構成した変形例を示す模式図である。
【考案を実施するための形態】
【００１２】
以下、図１乃至図１０を参照して、本考案の災害対策キットについて説明する。
［実施形態］
本考案の実施形態は、日常時には「小物入れ」並びに「テーブル」ないしは居室・台所各所の「物品の置台」として利用でき、災害時にはそのままの状態ですぐさま持ち出すことのできる災害対策キット１００（図１）を構成した例である。
【００１３】
本災害対策キット１００は同図１に示すように、収容箱１と、天板２と、底板３と、ペットボトル４と、防災用品５とを備えている。
また同キット１００は収容箱１にペットボトル４や防災用品５を格納でき（図２）、さらに収容箱１に天板２を乗せて蓋をすることが可能になっている（図３）。
防災用品５は、後述するように災害対策に必要・必須な物品であれば任意のものを選択することができる。
以下、この内容について詳しく説明する。
【００１４】
収容箱１は、大小２つの正方形格子枠１１・１２に底板３をあてがって塞いだ箱状体である（図５）。
これらの構成要素１１〜１２・２・３は全て、材質がプラスチックからなる平板を用いて作られている。
本例において正方形格子枠１１・１２は３ｍｍ厚、天板２・底板３は５ｍｍ厚とする。なおプラスチック製平板の１ｍ２あたりの重量は、３ｍｍ厚において５００グラム、５ｍｍ厚において１キログラムである。
【００１５】
材質としては、廃材（牛乳パック又は段ボール）他にパーティクルボード（木材の小片に合成樹脂接着剤を塗布し加熱圧縮して成形した板）・成形合板（木製の薄い単板を接着剤で貼合わせて型に入れ様々な形状に成形したもの）等を使用することを考慮したものの、いずれも防水性に欠ける為、プラスチック製の軽量で加重に耐えうる材質を選んだ。
その枠組（正方形格子枠１１・１２）のプラスチック板に壁紙（様々な色合い・色模様の物）を貼ることにより、独自の好みのテーブル及び置台が完成し、日常生活に便利でインテリアとしても楽しむことが出来、災害時はすぐに手近にある本災害対策キット１００が役に立つ。
プラスチック板に尽いて見当を重ね厳選した結果、
（１）軽い：中空構造体で、木材やベニヤ・合板・紙類と比べて軽く、製品（災害対策キット１００）の軽量化を図るのに適した素材。
（２）丈夫：中重置物を取扱うのに十分な強度を持っている。耐衝撃性も兼ね備えている。
（３）衛生的：水分を吸収しない為腐食せず、紙類や木板で発生する紙粉や木くずが出ることがなく、端面封止処理を施すことでより安全できれいな状態で使用可。
この３つの利点を持つ素材を厳選した。
このプラスチック板の特徴としては、中空構造であること、コロナ放電処理により他素材との貼合が可能であること、熱曲げ加工も可能であり幅広い用途に対応可能であることが挙げられる。
正方形格子枠１１・１２の枠組は、超音波により熱を発生させ樹脂を溶かして接着する手法（超音波溶着）を用いて成形される。
その枠組（正方形格子枠１１・１２）のプラスチック板に壁紙（様々な色合い・色模様の物）を貼ることにより独自の好みのテーブル及び置台が完成し、日常生活に便利でインテリアとしても楽しむことができ、災害時はすぐ手近にある本キット１００が役立つ。
なお上記の壁紙（図示略）は、表面が防水加工されたものが好ましい。
【００１６】
収容箱１を組立てる際は、まず厚さ３ｍｍのプラスチック製薄板を用いて組上げられた大小２つの正方形格子枠１１・１２を重心が一致するように配置する（図４（ａ）参照）。
小さな正方形格子枠１２の外縁部Ｏ１２と大きな正方形格子枠１１の内縁部Ｉ１１に挟まれたロの字型空間（図４（ｂ）の斜線部）には、縦横ともに各々同一本数のペットボトル４が隙間なく格納される（図６（ａ））。
なお図６（ａ）・図６（ｂ）の例では縦・横ともにそれぞれ４本ずつのペットボトル４が配置されているが、縦横に配置するペットボトル４の本数は、縦・横両方向の本数が同一でありさえすれば任意の本数を選択できる。
上記図６（ａ）では１０ｃｍ四方の正方形断面のペットボトル４を隙間なく詰めることができるよう、縦・横それぞれ４０ｃｍ四方の収容箱１が用意される。また図６（ｂ）のように、正方形格子枠１１・１２の高さ（３０ｃｍ）はペットボトル４の高さと同一に揃えられる。
図６（ａ）・図６（ｂ）の構成例においては、収容箱１の収容能力（箱の容量）を表す指標として「０．０４８ｍ３」（＝０．４ｍ×０．４ｍ×０．３ｍ）の嵩が確保される。
このとき寸法の小さな正方形格子枠１２内側の空間（すなわち防災用品５の収容空間）としては「０．０１２ｍ３」（＝０．２ｍ×０．２ｍ×０．３ｍ）の容積を確保できる。
また総計１２本のペットボトル（内容量２ｌ）が格納される小さな正方形格子枠１２の外縁部Ｏ１２と大きな正方形格子枠１１の内縁部Ｉ１１の間のロの字型空間（図４（ｂ）斜線部）の容積は「０．０３６ｍ３」となる。
【００１７】
図７（ａ）に示すように個々のペットボトル４には各々、飲用水ＷＴが充填されている。
ペットボトル４の容体４１上部には図７（ｂ）のように、注入口４３が設けられている。
なお同注入口４３は未開栓時において、容体４１に充填された飲用水ＷＴが洩れないように栓４２により閉栓（密封）されている（図７（ａ））。
ペットボトル４の断面形状は、ロの字型空間に格納したときの位置ずれを防止する観点より正方形断面が望ましい。
【００１８】
以上説明したように、本実施形態に係る災害対策キットによれば収容箱１に天板２を乗せることにより、テーブル又は居室・台所各所の物品の置台として使用することが可能である（図３）。
また災害対策キット１００は、日常的には物入としても機能する（図２）。収納箱１は、プラスチック製の平らなボードで構成されているため形が崩れない。さらに本災害対策キット１００は日常生活に溶込んでいるので、非常時にも探す手間なしにそのままの状態ですぐさま持ち出しできる。
なお本災害対策キット１００は、災害の発生時においては天板２を取外すことにより（図２）、収容箱１内部に格納された防災用品５を取り出して使用することが可能になる。
【００１９】
水害の恐れのある時は、充填してあるペットボトル４を開栓し（図７（ｂ））、すべての水ＷＴを流出させ閉栓すれば簡易性の浮き袋とし、又津波時に於いてはペットボトル４で囲まれているため（図６（ａ））漂流物に当ったとしても生身よりは遥かにクッション性があり衝撃の度合いも減少するものとして活用できる。救助の手がくるまで水没することなく浮いていることが可能である。
【００２０】
なお、この浮き袋機能に尽いては、「アルキメデスの原理」に基づく。
水中に存在する体積Ｖの物体（本例では収容箱１）に作用する静水圧を考える。
水平方向の投影面積は右と左とで等しいので全静水圧の水平成分は打ち消しあって釣り合う。したがって静水圧の鉛直方向の釣り合いのみを考えれば良い。
すなわち水中に沈んだ物体には、同物体が排除した体積Ｖに相当する水の重量に等しい力を上向きに受けることがわかる。この力は浮力ＦＢと呼ばれる。
次に物体（収容箱１）が水面に浮いている場合を考える。物体に作用する浮力ＦＢは水面下の部分の体積（排水体積と呼ぶ）をＶＥ、単位体積あたりの水の密度をρ、重力加速度をｇとして、ＦＢ＝ρｇＶＥで表される。すなわち物体は排水体積ＶＥに相当する水の重量に等しい浮力を鉛直上向きに受けることがわかる。
【００２１】
次に流れと抵抗についても考慮する。
平板上の一様流れ（流速ｕを考える）は、平板の壁面においてはその微小な凹凸（目では判別できない程小さい場合を含めて）によってそこでの流速は「０」となる。また粘性の効果によって壁面に近づくほど流速は遅くなる。この様に粘性の効果の及ぶ範囲を境界層と呼んでいる。
【００２２】
次に平板に作用する表面抵抗については、流速ｕの一様中に置かれた幅Ｂ・長さｌの平板を考える。この場合、平板に作用する抵抗のうち形状抵抗は無視できるので表面抵抗のみ考えればよい。
表面抵抗ＦＤＳは、以下の式で表される。ここでｒ０は壁面剪断応力、ＣＳは表面抵抗係数である。
【００２３】
【数１】
0003211741.tif 000003
【００２４】
平板に作用する抵抗を求める。
図８に示すように流速ｕ＝２０ｍ／ｓの一様流中に長さｌ＝０．４ｍ、幅Ｂ＝０．４ｍの薄い平板（本例の底板３と同一寸法）が流れと平行に置かれている。この時、平板に作用する抵抗の種類と全抵抗ＦＤを求める。
ただし、流体の密度ρをρ＝０．９９９［ｇ／ｃｍ３］＝９．９９×１０２［ｋｇ／ｍ３］、粘着係数μ＝０．０１１［ｇ／ｃｍ・ｓ］とする。
平板の厚さが薄いため形状抵抗は無視できる。よって平板に作用する抵抗は、表面抵抗のみである。
なおレイノルズ数Ｒｅ１＝ｕｌ／νは、粘性係数ν＝μ／ρ＝０．０１１ｃｍ２／ｓより
【００２５】
【数２】
0003211741.tif 000004
【００２６】
よって表面抵抗係数ＣＳ＝２．２×１０−３となる。したがって全抵抗ＦＤ（＝表面抵抗ＦＤＳ）は、以下のように算出できる。
【００２７】
【数３】
0003211741.tif 000005
【００２８】
なお全抵抗ＦＤの算定式の最後に２を掛けるのは、平板の両面に等しい表面抵抗が作用することを考慮するためである。
以上から算出し、浮き袋としての使用は充分なものと言える。
【００２９】
〔変形例：収容箱に対して、開閉機構により物理的に一体に取付けられた天板〕
上記実施形態の災害対策キット１００は図３のごとく収容箱１に天板２を乗せてテーブルないしは置台として使用している際に、横から強い力が加わると収容箱１に載荷された天板２が位置ずれしてしまうおそれがある。
このような事態を未然回避するために、本発明の災害対策キットは収容箱１と天板２を物理的に一体に構成することも可能である。
上記構成を実現するためには、ともに同一寸法からなる収容箱１と天板２の重なり合った１辺の両端部分を「開閉機構２０」（例えばヒンジ機構、接着テープ等）により係着する（図９）。
このようにすることで天板２を開閉可能（１辺を軸として回動可能）な状態で収容箱１に取付けることが可能になり、天板２を閉めている間に横方向の強い力が加わったとしても天板２が位置ずれを起こすことがなくなりテーブルもしくは置台機能の安定性を向上できる。
【００３０】
〔変形例：正方形格子枠を持たない収容箱〕
内容量５００ｍｌのペットボトル飲用水に関しても同様の事だが、枠組（プラスチック製平板により組上げた正方形格子枠１１・１２）自体は自在に製作できる。
上記枠組を使わない場合は、ペットボトル４をロの字形の正方形に並べ（図１０参照）、不水溶性粘着テープ１３で廻りを囲み、同テープ１３を巻いてゆくうちに少しずつずれて程よい丸みを帯び、インテリアグッズの小物入れ又学用品入れ、冊子入れとして日常的に活用できる。
これも上記の災害対策キットと同じく装飾を施した壁紙を貼ることにより、さらに接着強度が増し、中は空洞なので愛らしいグッズとして使用可である。
【００３１】
水害時には２ｌのペットボトル４では幼少の子供や衰弱した年寄りには手を廻してつかまることができず困難であり、水没する可能性がある。水害時、ペットボトル４の底板３は軽く剥がすことが可能なプラスチック製薄板が良い。
日常生活でも軽く持ち運びが容易である。
【００３２】
又５００ｍｌ飲用水充填のペットボトル４で作った小物入れは病院内の患者のベッド際に置けば、日常時は患者の小物入れ・着替え入れ等として愛らしい型と憩う色合いが殺伐とした病室に癒す和みを与え、非常時には即ぐ装飾紙を破れば飲用水として用いることが出来、看護士等の手を待つ必要もなくなる。
【００３３】
５００ｍｌペットボトルは手で持ちやすく、子供でも年寄でもコップなしで飲むことができる点が有利である。上記の非常時用の２ｌのペットボトル飲用水から小分けすればコップなしでも幼い子供らが簡単に楽に飲むことができる。
【００３４】
災害グッズ（防災用品５）の中には、ラジオ付懐中電灯等、各戸で必須な物を入れる。
一番重要な点は、持病のある人・病気を患っている人達の薬をストックしておくことができることである。
更に乳幼児に関しては、母乳が出ている母親でも災害時はショックと避難所での人目もあり、母乳が出なくなる可能性がある為、備蓄品として粉ミルク・哺乳瓶・離乳食のビン詰め等を備蓄しておくと良い。
季節に応じて着替え・毛布等も入れておくことも可である。
【００３５】
必須条件として、内容量２ｌのペットボトル４の枠組は正方形を保つこと。何故ならば、正方形は辺の長さが長くても短くても重心は常に対角線上の中心であるからである。又災害グッズ（防災用品５）を入れ持ち運ぶ際にも斜き（傾き）が少ない利点がある。
【００３６】
５００ｍｌに関しては正方形として形作るが少々中心がずれても小さいので構わない。愛らしいこともメリットとして加えたい。壁紙自体が防水性がある為、用途は広い。
【００３７】
以上、２ｌ飲用水ペットボトル・５００ｍｌのペットボトルで成形した災害対策キットは、自然災害はもとより、内戦地や難民の人達に安心感をもたらし、役に立ち、愛らしい型と壁紙の色彩で心を癒しポジティブな気持ちをもたらす物となりうる。
【００３８】
以上、実施形態を参照して本考案を説明したが、本考案は上記実施形態に限定されるものではない。本考案の構成や詳細には、本考案の要旨を逸脱しない範囲で当業者が理解し得る各種の変形が可能である。
【符号の説明】
【００３９】
１００  災害対策キット
１  収容箱
１１、１２  正方形格子枠
１３  不水溶性粘着テープ
２  天板
２０  開閉機構
３  底板
４  ペットボトル
５  防災用品
【図１】
0003211741.tif 000006
【図２】
0003211741.tif 000007
【図３】
0003211741.tif 000008
【図４】
0003211741.tif 000009
【図５】
0003211741.tif 000010
【図６】
0003211741.tif 000011
【図７】
0003211741.tif 000012
【図８】
0003211741.tif 000013
【図９】
0003211741.tif 000014
【図１０】
0003211741.tif 000015